(57)【要約】【課題】予め定められた用紙以外のＲＦＩＤラベル用紙が使用されるのを未然に防ぐ。【解決手段】ＲＦＩＤインレットとの非接触通信により当該ＲＦＩＤインレットに記憶された情報を読取る。読取られた情報の中に当該ＲＦＩＤラベル印刷装置で使用可能なＲＦＩＤラベル用紙の種別コードが含まれるか否かを判断する。この判断処理により含まれていないと判断された場合には、印刷手段による印刷動作を行わないようにする。【選択図】      図５
2007296746.tif 000002
【特許請求の範囲】
【請求項１】
ＲＦＩＤ（Radio Frequency Identification）インレットが取り付けられたＲＦＩＤラベル用紙に情報を印刷するための印刷手段を備えたＲＦＩＤラベル印刷装置において、
前記ＲＦＩＤインレットとの非接触通信により当該ＲＦＩＤインレットに記憶されたデータを読取るＲＦＩＤ読取手段と、
このＲＦＩＤ読取手段により読取られたデータに基づいて前記印刷手段による印刷動作を行うか否かを制御する制御手段と、
を具備したことを特徴とするＲＦＩＤラベル印刷装置。
【請求項２】
ＲＦＩＤ（Radio Frequency Identification）インレットが取り付けられたＲＦＩＤラベル用紙に情報を印刷するための印刷手段を備えたＲＦＩＤラベル印刷装置において、
前記ＲＦＩＤインレットとの非接触通信により当該ＲＦＩＤインレットに記憶されたデータを読取るＲＦＩＤ読取手段と、
このＲＦＩＤ読取手段により読取られたデータの中に当該ＲＦＩＤラベル印刷装置で使用可能な前記ＲＦＩＤラベル用紙の種別コードが含まれるか否かを判断する判断手段と、
この判断手段により前記種別コードが含まれていないと判断されると、前記印刷手段による印刷動作を行わないようにする制御手段と、
を具備したことを特徴とするＲＦＩＤラベル印刷装置。
【請求項３】
ＲＦＩＤ（Radio Frequency Identification）インレットが取り付けられたＲＦＩＤラベル用紙に情報を印刷するための印刷手段を備えたＲＦＩＤラベル印刷装置において、
前記ＲＦＩＤインレットとの非接触通信により当該ＲＦＩＤインレットに記憶されたデータを読取るＲＦＩＤ読取手段と、
このＲＦＩＤ読取手段により読取られたデータの中に当該ＲＦＩＤラベル印刷装置で使用可能な前記ＲＦＩＤラベル用紙の種別コードが含まれるか否かを判断する判断手段と、
この判断手段により前記種別コードが含まれていないと判断されると、警告を発する警告手段と、
を具備したことを特徴とするＲＦＩＤラベル印刷装置。
【請求項４】
当該ＲＦＩＤラベル印刷装置で使用可能な１乃至複数種類のＲＦＩＤラベル用紙の種別コードを記憶する記憶手段を具備し、
前記判断手段は、前記ＲＦＩＤ読取手段により読取られたデータの中に前記記憶手段により記憶されている種別コードが含まれているか否かを判断することを特徴とする請求項２または３記載のＲＦＩＤラベル印刷装置。
【請求項５】
前記判断手段は、前記ＲＦＩＤラベル用紙への印刷動作開始が指令されたことに応じて前記判断をすることを特徴とする請求項２または３記載のＲＦＩＤラベル印刷装置。
【請求項６】
ＲＦＩＤ（Radio Frequency Identification）インレットが取り付けられたＲＦＩＤラベル用紙に情報を印刷するＲＦＩＤラベル印刷装置の印刷方法であって、
前記ＲＦＩＤインレットとの非接触通信により当該ＲＦＩＤインレットに記憶されたデータを読取り、
前記ＲＦＩＤインレットから読取られたデータの中に当該ＲＦＩＤラベル印刷装置で使用可能な前記ＲＦＩＤラベル用紙の種別コードが含まれるか否かを判断し、
該当する種別コードが含まれているときには前記ＲＦＩＤラベル用紙への印刷動作を開始し、含まれていない場合には前記ＲＦＩＤラベル用紙への印刷動作を開始しないことを特徴とするＲＦＩＤラベル印刷装置の印刷方法。
【請求項７】
それぞれＲＦＩＤ（Radio Frequency Identification）インレットが取り付けられるとともに表面を印刷面とする複数枚のＲＦＩＤラベルの裏面を帯状の台紙に剥離自在に貼り付けてなるＲＦＩＤラベル用紙において、
前記各ＲＦＩＤラベルにおけるＲＦＩＤインレットに、それぞれ当該ＲＦＩＤラベル用紙の種類を識別する種別コードを書換不能に記憶したことを特徴とするＲＦＩＤラベル用紙。
【発明の詳細な説明】
【技術分野】
【０００１】
本発明は、ＲＦＩＤ（Radio Frequency Identification）ラベルに情報を印刷するＲＦＩＤラベル印刷装置及びその印刷方法並びにこの装置に用いられるＲＦＩＤラベル用紙に関する。
【背景技術】
【０００２】
近年、ＩＣチップとアンテナとを薄いフィルムに内蔵してなるＲＦＩＤインレットをラベルシールに取り付けたＲＦＩＤラベルが注目されている。このＲＦＩＤラベルは、ＩＣチップに多量のデータを保存できること、ＩＣチップへのデータの書込みや読出しを電波または電磁波を利用して非接触で行うため汚れ，埃などの影響を受け難いこと、複数のＲＦＩＤラベルからＩＣチップの情報を同時に読込むことができること等の利点がある。
【０００３】
そこで、流通分野においても各商品にそれぞれ付される商品管理用のラベルに上記ＲＦＩＤラベルを適用し、商品に関する様々な情報をＲＦＩＤラベルのＩＣチップで記憶保持することが考えられていた。この商品管理用ラベルの場合、ラベルの表面には、対応する商品の品名，価格，バーコード等を印刷する必要がある。
【０００４】
従来、帯状の台紙に多数枚のＲＦＩＤラベルを一列に整列させて剥離自在に貼り付けてなるＲＦＩＤラベル用紙を取り扱うことが可能で、順次搬送されるＲＦＩＤラベルのＲＦＩＤインレットに非接触通信を利用してデータを書き込むとともに、そのＲＦＩＤラベルの表面に必要な情報を印刷するようにしたＲＦＩＤ記録機能付の印刷装置は既に知られていた。このような印刷装置を用いることにより、前述したような商品管理用ラベルを生成することができる（例えば、特許文献１参照）。
【特許文献１】特開２００３−１４０５４８号公報
【発明の開示】
【発明が解決しようとする課題】
【０００５】
ところで、このようなＲＦＩＤラベル印刷装置に用いられるＲＦＩＤラベル用紙は、製造業者の違いや用途の違い等により、ラベルのサイズが同一でもＲＦＩＤインレットの取付位置が異なる場合がある。また、ラベルや台紙の素材が異なる場合もある。このため、ＲＦＩＤラベル印刷装置においては、予め定められた用紙以外のＲＦＩＤラベル用紙が使用された場合に、印字ヘッド等の印刷に関連する部品が故障したり、寿命劣化を招いたりするおそれが多分にあった。
【０００６】
本発明はこのような事情に基づいてなされたもので、予め定められた用紙以外のＲＦＩＤラベル用紙が使用されるのを未然に防ぐことができ、予期しない故障や寿命劣化の回避を図ることができるＲＦＩＤラベル印刷装置及び印刷方法並びにこの装置に用いられるＲＦＩＤラベル用紙を提供しようとするものである。
【課題を解決するための手段】
【０００７】
本発明のＲＦＩＤラベル印刷装置は、ＲＦＩＤインレットが取り付けられたＲＦＩＤラベル用紙に情報を印刷するための印刷手段を備えたものにおいて、ＲＦＩＤインレットとの非接触通信により当該ＲＦＩＤインレットに記憶されたデータを読取るＲＦＩＤ読取手段と、このＲＦＩＤ読取手段により読取られたデータに基づいて印刷手段による印刷動作を行うか否かを制御する制御手段とを備えたものである。
【０００８】
本発明のＲＦＩＤラベル印刷装置の印刷方法は、ＲＦＩＤインレットとの非接触通信により当該ＲＦＩＤインレットに記憶されたデータをＲＦＩＤラベル印刷装置が読取り、このＲＦＩＤインレットから読取られたデータの中に当該ＲＦＩＤラベル印刷装置で使用可能なＲＦＩＤラベル用紙の種別コードが含まれるか否かをＲＦＩＤラベル印刷装置が判断し、ＲＦＩＤラベル印刷装置は、該当する種別コードが含まれているときにはＲＦＩＤラベル用紙への印刷動作を開始し、含まれていない場合にはＲＦＩＤラベル用紙への印刷動作を開始しないものである。
【０００９】
本発明のＲＦＩＤラベル用紙は、それぞれＲＦＩＤインレットが取り付けられるとともに表面を印刷面とする複数枚のＲＦＩＤラベルの裏面を帯状の台紙に剥離自在に貼り付けてなるものにおいて、各ＲＦＩＤラベルにおけるＲＦＩＤインレットに、それぞれ当該ＲＦＩＤラベル用紙の種類を識別する種別コードを書換不能に記憶したものである。
【発明の効果】
【００１０】
かかる手段を講じた本発明によれば、予め認定された用紙以外のラベル用紙が使用されるのを未然に防ぐことができ、予期しない故障や寿命劣化を回避することができるＲＦＩＤラベル印刷装置及びその印刷方法並びにこの装置に用いられるＲＦＩＤラベル用紙を提供できる。
【発明を実施するための最良の形態】
【００１１】
以下、本発明を実施するための最良の形態について、図面を用いて説明する。  
はじめに、本実施の形態で使用されるＲＦＩＤラベル用紙１について、図１乃至図３を用いて説明する。
【００１２】
図１に示すように、ＲＦＩＤラベル用紙１は、帯状の台紙２と、この台紙２の表面に、用紙搬送方向Ｃに一列に整列させて剥離自在に貼り付けられた多数枚のＲＦＩＤラベル３とから構成されている。各ＲＦＩＤラベル３は、図１のＡ−Ａ矢視断面を拡大する図２に示すように、それぞれラベルシート４の裏面側（台紙２との接着面側）に、ＩＣチップ５とアンテナ６とを薄いフィルムに内蔵してなるＲＦＩＤインレット７を取り付けた構造となっている。そして、ラベルシート４の表面を情報の印刷面としている。なお、図２において、符号８，９はいずれも接着剤を示している。
【００１３】
ＲＦＩＤインレット７のＩＣチップ５には、電源生成部，復調部，変調部，メモリ部１０（図３を参照）及びこれらを制御する制御部等が設けられている。電源生成部は、アンテナ６で受信した変調電波の整流と安定化を行なうことによりＩＣチップ５の各部に電源を供給する。復調部は、アンテナ６で受信した変調電波を復調して制御部へ送出する。変調部は、制御部から送出されたデータを変調してアンテナ６から発信させる。制御部は、復調部で復調されたデータのメモリ部１０への書込みや、メモリ部１０からデータを読み出して変調部へ送出する。
【００１４】
メモリ部１０は、図３に示すように、データを書換え不能に記憶保持する設定エリア１１と、任意のデータを書き込み可能なユーザエリア１２とから構成されている。そして、設定エリア１１には、予めＩＤコードと種別コードとが書き込まれている。ＩＤコードは、各ＲＦＩＤインレット７を個々に識別するために予め設定されたＲＦＩＤインレット固有のコードである。種別コードは、そのＲＦＩＤインレット７を有するＲＦＩＤラベル３が設けられたＲＦＩＤラベル用紙１の種類を識別するために設定されたＲＦＩＤラベル用紙固有のコードである。因みに、ＲＦＩＤラベル用紙１の種類は、サイズや形状の違いだけでなく、ＲＦＩＤインレット７の取付位置の違いや、ラベルシート４，台紙２の素材の違い等に基づいても区別される。
【００１５】
次に、前記ＲＦＩＤラベル用紙１を使用し、順次搬送されるＲＦＩＤラベル３のＲＦＩＤインレット７に無線通信を利用して非接触でデータを書き込むとともに、そのＲＦＩＤラベル３におけるラベルシート４の表面に必要な情報を非接触で印刷するようにしたＲＦＩＤラベル印刷装置２０について、図４のブロック図及び図５の流れ図を用いて説明する。
【００１６】
図４に示すように、ＲＦＩＤラベル用紙１は、ロール状に巻回された状態でＲＦＩＤラベル印刷装置２０のラベルホルダ（不図示）にセットされる。そして、ラベルホルダから繰り出されたＲＦＩＤラベル用紙１の先端は、所定の搬送路に沿って剥離ローラ２１に導かれ、この剥離ローラ２１で台紙２のみが巻回されてＲＦＩＤラベル３が剥離される。剥離ローラ２１で剥離されたＲＦＩＤラベル３は、ラベル発行口（不図示）から排出される。剥離ローラ２１を巻回した台紙２は、巻取ローラ（不図示）によって巻き取られる。
【００１７】
ラベルホルダから剥離ローラ２１までの搬送路上には、ＲＦＩＤラベル用紙１の搬送方向上流側であるラベルホルダ側から下流側である剥離ローラ２１側に向けて順に、ラベルセンサ２２、ＲＦＩＤリーダ・ライタ２３のアンテナ２４、及び印字ヘッド２５が設けられている。ラベルセンサ２２は、ラベルホルダから繰り出されたＲＦＩＤラベル用紙１に設けられているＲＦＩＤラベル３の検出を行うものである。例えば、ＲＦＩＤラベル３の後端エッジを光学的に検知することによって、ＲＦＩＤラベル３を検出する。
【００１８】
アンテナ２４は、ＲＦＩＤリーダ・ライタ２３の制御により変調波を発信し、この変調波を受信したＲＦＩＤインレット７から発信される変調波を受信するものである。ＲＦＩＤリーダ・ライタ２３は、アンテナ２４から発信される変調波の交信領域内に存在するＲＦＩＤインレット７のメモリ部１０からデータを非接触で読取ったり、当該メモリ部１０にデータを非接触で書き込んだりする。ここに、ＲＦＩＤリーダ・ライタ２３及びアンテナ２４は、ＲＦＩＤ読取手段を構成する。
【００１９】
印字ヘッド２５は、ヘッド駆動部２６により駆動され、ＲＦＩＤラベル３の表面であるラベルシート４の印刷面に種々の情報を印刷するものである。ここに、印字ヘッド２５及びヘッド駆動部２６は、印刷手段を構成する。
【００２０】
ＲＦＩＤラベル印刷装置２０は、前記ラベルセンサ２２、ＲＦＩＤリーダ・ライタ２３、アンテナ２４、印字ヘッド２５及びヘッド駆動部２６の他、操作パネル２７，搬送系駆動部２８，記憶部２９及び制御部３０等を備えている。操作パネル２７には、各種キーや表示部等が設けられている。搬送系駆動部２８は、ラベルホルダにセットされたＲＦＩＤラベル用紙１の搬送と、台紙２を巻き取る巻取ローラの駆動を制御する。
【００２１】
各種データを記憶するためのメモリエリアが形成される記憶部２９には、特に、認定コードテーブル３１が形成されている。認定コードテーブル３１には、当該ＲＦＩＤラベル印刷装置２０で使用可能な１乃至複数種類のＲＦＩＤラベル用紙１の種別コードが保存される。当該ＲＦＩＤラベル印刷装置２０は、操作パネル２７の操作入力により、任意の種別コードを認定コードテーブル３１に追加保存できるようになっている。ここに、認定コードテーブル３１は、記憶手段を構成する。
【００２２】
制御部３０は、操作パネル２７の操作入力によりＲＦＩＤラベル３の発行が指令されると、図５に流れ図に示す手順で各部を制御する。先ず、制御部３０は、用紙搬送系駆動部２８の起動を指令する（ＳＴ１）。
【００２３】
これにより、ＲＦＩＤラベル用紙１の搬送が開始されるので、制御部３０は、ラベルセンサ２２によってＲＦＩＤラベル３が検出されるのを待機する（ＳＴ２）。そして、所定時間内にＲＦＩＤラベル３が検出されたならば、制御部３０は、ＲＦＩＤリーダ・ライタ２３にＲＦＩＤラベル３の読取コマンドを送出する（ＳＴ３）。
【００２４】
これにより、ＲＦＩＤリーダ・ライタ２３では、読取コマンドのデータが変調され、その変調波がアンテナ２４から発信される。このとき、この変調波の到達距離内にＲＦＩＤインレット７が存在すると、このＲＦＩＤインレット７のＩＣチップ５が起電する。そして、そのメモリ部１０に記憶されているＩＤコード及び種別コードを含むＲＦＩＤラベル３のデータが変調され、その変調波がＲＦＩＤインレット７のアンテナ６から発信される。この変調波は、アンテナ２４で受信され、ＲＦＩＤリーダ・ライタ２３でＲＦＩＤラベル３のデータに復調された後、制御部３０に供給される。
【００２５】
そこで制御部３０は、ＲＦＩＤリーダ・ライタ２３を介してＲＦＩＤラベル３のデータが読取られるのを待機する（ＳＴ４）。そして、所定時間内にＲＦＩＤラベル３のデータが読取られたならば、制御部３０は、そのデータからＲＦＩＤラベル用紙１の種別コードを取得する（ＳＴ５）。そして、認定コードテーブル３１を検索して、当該認定コードテーブル３１に設定されている１乃至複数の種別コードの中に、ＲＦＩＤラベル３のデータから取得した種別コードが含まれているか否かを判断する（ＳＴ６：判断手段）。
【００２６】
ここで、認定コードテーブル３１に設定されている種別コードの中にＲＦＩＤラベル３のデータから取得した種別コードが含まれていた場合には（ＳＴ７のＹＥＳ）、ラベルホルダにセットされたＲＦＩＤラベル用紙１は、当該ＲＦＩＤラベル印刷装置２０で使用が認定されている用紙なので、制御部３０は、ラベル発行を制御する（ＳＴ８）。すなわち、ＲＦＩＤリーダ・ライタ２３を介してＲＦＩＤラベル３のＲＦＩＤインレット７にデータを非接触で書き込む。また、ヘッド駆動部２６を介して印字ヘッド２５を動作させて、同ＲＦＩＤラベル３のラベルシート４に必要な情報を印刷する。
【００２７】
制御部３０は、上述したラベル発行の制御を、指定された発行枚数分繰返し実行する。そして、指定された発行枚数分のラベル発行を終えたならば（ＳＴ９のＹＥＳ）、搬送系駆動部２８の停止を指令する（ＳＴ１１）。これにより、ＲＦＩＤラベル用紙１の搬送が停止する。
【００２８】
一方、認定コードテーブル３１に設定されている種別コードの中にＲＦＩＤラベル３のデータから取得した種別コードが含まれていない場合には（ＳＴ７のＮＯ）、ラベルホルダにセットされたＲＦＩＤラベル用紙１は、当該ＲＦＩＤラベル印刷装置２０では使用が認定されていない用紙なので、制御部３０は、前述したラベル発行制御を行わない（制御手段）。
【００２９】
この場合、制御部３０は、操作パネル２７からラベルエラーを報知して、警告を発する（ＳＴ１０：警告手段）。また、搬送系駆動部２８の停止を指令する（ＳＴ１１）。
【００３０】
このように本実施の形態においては、ＲＦＩＤラベル用紙１に剥離自在に貼り付けられた各ＲＦＩＤラベル３のＲＦＩＤインレット７には、そのメモリ部１０に、それぞれ当該ＲＦＩＤラベル用紙１の種類を識別するための種別コードが予め設定されている。また、ＲＦＩＤラベル用紙１に情報を印刷するＲＦＩＤラベル印刷装置２０には、その記憶部２９に認定コードテーブル３１を記憶している。そして、この認定コードテーブル３１にて、当該ＲＦＩＤラベル印刷装置２０で使用可能な１乃至複数種類のＲＦＩＤラベル用紙１の種別コードを保存するようになっている。
【００３１】
しかして、ＲＦＩＤラベル印刷装置２０のユーザは、所望するＲＦＩＤラベル用紙１をＲＦＩＤラベル印刷装置２０にセットしたならば、操作パネル２７を操作して、ＲＦＩＤラベル３の発行開始を指令する。そうすると、ＲＦＩＤラベル印刷装置２０においては、ＲＦＩＤリーダ・ライタ２３が動作して、印字ヘッド２５による印刷位置よりも上流側に位置するＲＦＩＤラベル３のＲＦＩＤインレット７に記憶されている種別コードが読取られる。そして、この種別コードが認定コードテーブル３１に設定されているか否かが判断される。
【００３２】
ここで、当該種別コードが認定コードテーブル３１に設定されていた場合には、ラベル発行動作が制御される。すなわち、ＲＦＩＤリーダ・ライタ２３を介してＲＦＩＤラベル３のＲＦＩＤインレット７に必要な情報が非接触で書き込まれる。また、印字ヘッド２５が動作して、同ＲＦＩＤラベル３のラベルシート４に必要な情報が印刷される。情報の書込み及び印刷が行われたＲＦＩＤラベル３は、剥離ローラ２１で台紙２から剥離されて発行される。このようなラベル発行動作は、指定された発行枚数分のＲＦＩＤラベル３が発行されるまで繰返し行われる。そして、発行が完了したならば、ラベル発行動作が停止する。
【００３３】
一方、ＲＦＩＤラベル３のＲＦＩＤインレット７から読取った種別コードが認定コードテーブル３１に設定されていない場合には、ラベル発行動作は行なわれない。そして、操作パネル２７からラベルエラーが報知されて警告が発せられる。例えば、警告用ＬＥＤが点灯する。または、エラーメッセージが表示部に表示される。あるいは、警告ブザー音が鳴動する。したがって、ユーザは、警告を確認することによって、ラベルエラーであることを認識できる。
【００３４】
このように本実施の形態によれば、ＲＦＩＤラベル３のＲＦＩＤインレット７から読取った種別コードが認定コードテーブル３１に設定されていない場合、すなわち、ＲＦＩＤラベル印刷装置２０にセットされているＲＦＩＤラベル用紙１が、当該ＲＦＩＤラベル印刷装置２０での使用が認定されていない種類の用紙であった場合には、ラベル印刷動作が行われないようになっている。したがって、予め定められた用紙以外のＲＦＩＤラベル用紙１が使用されたために、印字ヘッド２５等の印刷に関連する部品が故障したり、寿命劣化を招いたりする不具合を未然に回避できる。
【００３５】
なお、この発明は前記実施形態そのままに限定されるものではなく、実施段階ではその要旨を逸脱しない範囲で構成要素を変形して具体化できる。
【００３６】
例えば前記実施の形態では、ＲＦＩＤラベル３のＲＦＩＤインレット７から読取ったデータに含まれる種別コードが、認定コードテーブル３１に設定されているか否かの判断処理をラベル発行開始時のみに行うようにしたが、１枚以上の所定枚数のＲＦＩＤラベル３を発行する毎に上記判断処理を行うようにしてもよい。
【００３７】
図６は、所定枚数のＲＦＩＤラベル３を発行する毎に上記判断処理を行うようにした第２の実施の形態における制御部３０の処理手順を示す流れ図である。なお、図５に示す第１の実施の形態の同制御手順と共通する部分には同一符号を付し、詳しい説明を省略する。
【００３８】
すなわち、この第２の実施の形態が第１の実施の形態と異なる点は、ＳＴ８のラベル発行制御が実施されてからである。制御部３０は、ラベル発行制御が開始されると、所定枚数のＲＦＩＤラベル３が発行されたか否かを判断する（ＳＴ２１）。そして、発行枚数が所定枚数に達するまでは、ラベル発行動作を繰返し行う。指定された枚数のＲＦＩＤラベル３が発行されたならば（ＳＴ９のＹＥＳ）、制御部３０は、搬送系駆動部２８の停止を指令する（ＳＴ１１）。
【００３９】
一方、発行枚数が所定枚数に達した場合には、ＳＴ２の処理に戻る。すなわち、ラベルセンサ２２によってＲＦＩＤラベル３が検出されるのを待機する（ＳＴ２）。そして、所定時間内にＲＦＩＤラベル３が検出されたならば、制御部３０は、ＲＦＩＤリーダ・ライタ２３にＲＦＩＤラベル３の読取コマンドを送出する（ＳＴ３）。そして、所定時間内にＲＦＩＤラベル３のデータが正常に読取られたならば（ＳＴ４のＹＥＳ）、制御部３０は、そのデータからＲＦＩＤラベル用紙１の種別コードを取得する（ＳＴ５）。そして、認定コードテーブル３１を検索して、当該認定コードテーブル３１に設定されている１乃至複数の種別コードの中に、ＲＦＩＤラベル３のデータから取得した種別コードが含まれているか否かを判断する（ＳＴ６：判断手段）。
【００４０】
ここで、認定コードテーブル３１に設定されている種別コードの中にＲＦＩＤラベル３のデータから取得した種別コードが含まれていた場合には（ＳＴ７のＹＥＳ）、制御部３０は、ラベル発行制御を再開する（ＳＴ８）。
【００４１】
制御部３０を上記の如く構成することによって、ＲＦＩＤラベル３のＲＦＩＤインレット７から読取ったデータに含まれる種別コードが、認定コードテーブル３１に設定されているか否かの判断処理を、所定枚数のＲＦＩＤラベル３を発行する毎に行うことができる。したがって、装置の安全性をより一層向上させることができる。
【００４２】
また前記実施の形態では、認定コードテーブル３１に、当該ＲＦＩＤラベル印刷装置２０で使用可能な１乃至複数種類のＲＦＩＤラベル用紙１の種別コードを保存したが、当該ＲＦＩＤラベル印刷装置２０で使用不可能な１乃至複数種類のＲＦＩＤラベル用紙１の種別コードを保存してもよい。
【００４３】
この場合、図５または図６の処理手順のＳＴ７において、ＲＦＩＤラベル３のＲＦＩＤインレット７から読取った種別コードが上記認定コードテーブル３１に設定されていた場合（ＳＴ７のＹＥＳ）には、ＳＴ１０のラベルエラー報知処理に進み、設定されていない場合（ＳＴ７のＮＯ）には、ＳＴ８のラベル発行制御処理に進む。このような構成を採用しても、前記実施の形態と同様な効果を奏することができる。
【００４４】
また、前記実施の形態では、操作パネル２７を操作して認定コードテーブル３１に対する種別コードの追加設定を行う場合を示したが、例えばインターネットとの通信手段を有し、ＲＦＩＤラベル印刷装置２０の製造メーカからインターネットを経由してダウンロードされる設定ファイルによって、認定コードテーブル３１に対する種別コードの追加設定を行うようにしてもよい。こうすることにより、使用可能な新規種類のＲＦＩＤラベル用紙１が増えた場合に、ＲＦＩＤラベル印刷装置２０の製造メーカが主体となって、各ユーザのＲＦＩＤラベル印刷装置２０に必要な種別コードを追加設定することができる。
【００４５】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００４６】
【図１】本発明の一実施の形態におけるＲＦＩＤラベル用紙を示す模式図。
【図２】図１におけるＡ−Ａ矢視断面図。
【図３】同実施の形態において、ＲＦＩＤラベル用紙のＲＦＩＤインレットに設けられるＩＣチップのメモリ部のデータ構造を示す模式図。
【図４】同実施の形態におけるＲＦＩＤラベル印刷装置の要部構成を示すブロック図。
【図５】同実施の形態におけるＲＦＩＤラベル印刷装置の制御部が実行する主要な制御処理手順を示す流れ図。
【図６】同制御部が実行する制御手順の他の例を示す流れ図。
【符号の説明】
【００４７】
１…ＲＦＩＤラベル用紙、２…台紙、３…ＲＦＩＤラベル、４…ラベルシート、５…ＩＣチップ、６…アンテナ、７…ＲＦＩＤインレット、１０…メモリ部、２１…剥離ローラ、２２…ラベルセンサ、２３…ＲＦＩＤリーダ・ライタ、２４…アンテナ、２５…印字ヘッド、２６…ヘッド駆動部、２７…操作パネル、２８…搬送系駆動部、２９…記憶部、３０…制御部、３１…認定コードテーブル。
【図１】
2007296746.tif 000003
【図２】
2007296746.tif 000004
【図３】
2007296746.tif 000005
【図４】
2007296746.tif 000006
【図５】
2007296746.tif 000007
【図６】
2007296746.tif 000008